(57)【要約】      （修正有）【課題】表示品質を向上させる液晶表示装置およびその駆動方法を提供する。【解決手段】液晶表示装置は、順次に第１原映像信号ないし第３原映像信号の提供を受けて順次に第１補正映像信号ないし第３補正映像信号を出力するタイミングコントローラ２００と、第１補正映像信号ないし第３補正映像信号の提供を受けて映像を表示する液晶パネルと、を含み、タイミングコントローラは、第１原映像信号を利用して第１階調に対応する第１変換映像信号を生成して保存し、第２原映像信号は、第２階調を含み、タイミングコントローラは、第２階調が第１階調より小さいとき、第２階調より大きな第３階調に対応する第２変換映像信号を生成する。【選択図】図３
2010152320.tif 000002
【特許請求の範囲】
【請求項１】
順次に第１原映像信号ないし第３原映像信号の提供を受けて順次に第１補正映像信号ないし第３補正映像信号を出力するタイミングコントローラと、
前記第１補正映像信号ないし第３補正映像信号の提供を受けて映像を表示する液晶パネルと、
を含み、
前記タイミングコントローラは、前記第１原映像信号を利用して第１階調に対応する第１変換映像信号を生成して保存し、
前記第２原映像信号は、第２階調を含み、前記タイミングコントローラは、前記第２階調が前記第１階調より小さいとき、前記第２階調より大きい第３階調に対応する第２変換映像信号を生成することを特徴とする液晶表示装置。
【請求項２】
前記タイミングコントローラは、前記第２変換映像信号と前記第３原映像信号とを利用して前記第３補正映像信号を生成することを特徴とする請求項１に記載の液晶表示装置。
【請求項３】
前記第１階調は、基準階調より大きく、
前記第２階調は、基準階調より小さいことを特徴とする請求項１に記載の液晶表示装置。
【請求項４】
前記第３原映像信号は、第４階調に対応し、
前記第２階調は、前記第４階調より小さいことを特徴地する請求項３に記載の液晶表示装置。
【請求項５】
前記タイミングコントローラは、前記第２変換映像信号を利用して前記第３階調より小さい第５階調に対応する初期補償映像信号を生成し、前記初期補償変換映像信号と前記第３原映像信号とを利用して前記第３補正映像信号を生成することを特徴とする請求項１に記載の液晶表示装置。
【請求項６】
前記第４階調が前記第３階調より小さいとき、前記タイミングコントローラは、前記第５階調に対応する初期補償映像信号を利用して前記第５階調より小さい第６階調に対応する再補償映像信号を生成し、前記再補償映像信号を利用して前記第３原映像信号を補正することにより前記第３補正映像信号を生成することを特徴とする請求項５に記載の液晶表示装置。
【請求項７】
前記第４階調が前記第３階調より小さいとき、前記タイミングコントローラは、前記初期補償映像信号と前記第３原映像信号とを利用して初期補正映像信号を生成し、前記第２原映像信号を利用して前記初期補正映像信号を再補正することにより前記第３補正映像信号を生成することを置く超とする請求項５に記載の液晶表示装置。
【請求項８】
前記第４階調が基準階調より大きいとき、前記タイミングコントローラは、第１補償式を利用して前記補償映像信号を生成し、
前記第４階調が前記基準階調より小さいとき、前記タイミングコントローラは、前記第１補償式と異なる第２補償式を利用して前記補償映像信号を生成することを特徴とする請求項５に記載の液晶表示装置。
【請求項９】
前記第１補正映像信号ないし第３補正映像信号各々は、前記各補正映像信号より高い階調を有する第１サブ映像信号と、前記各補正映像信号より低い階調を有する第２サブ映像信号とを含むことを特徴とする請求項７に記載の液晶表示装置。
【請求項１０】
前記タイミングコントローラは、
前記第１変換映像信号と、前記第２原映像信号との組み合わせに対応する階調値を含むルックアップテーブルを含み、
前記ルックアップテーブルを利用して前記第４階調に基づいて前記第２変換映像信号を生成することを特徴とする請求項１に記載の液晶表示装置。
【発明の詳細な説明】
【技術分野】
【０００１】
本発明は、液晶表示装置およびその駆動方法に関するものである。
【背景技術】
【０００２】
一般的に、液晶表示装置は、画素電極が具備された第１表示板、共通電極が具備された第２表示板、第１表示板と第２表示板との間に注入された誘電率異方性（ｄｉｅｌｅｃｔｒｉｃ  ａｎｉｓｏｔｒｏｐｙ）を有する液晶、複数のゲートラインを駆動するゲート駆動部、データ信号を出力するデータ駆動部、およびこれらを制御するタイミングコントローラなどを含む。
【０００３】
このような液晶表示装置は、外部のグラフィックソースから原映像信号が入力され、原映像信号はタイミングコントローラを経て液晶パネルに伝達される。このとき、タイミングコントローラは、液晶の応答速度を向上させるために、例えばＤＣＣ（Ｄｙｎａｍｉｃ  Ｃａｐａｃｉｔａｎｃｅ  Ｃｏｍｐｅｎｓａｔｉｏｎ）および／またはＡＣＣ（Ａｄａｐｔｅｄ  Ｃｏｌｏｒ  Ｃｏｒｒｅｃｔｉｏｎ）方法を利用して原映像信号を補正してもよい。
【先行技術文献】
【特許文献】
【０００４】
【特許文献１】特開第２００４−３０２４６０号公報
【発明の概要】
【発明が解決しようとする課題】
【０００５】
本発明が解決しようとする課題は、表示品質を向上させる液晶表示装置を提供することである。
【０００６】
本発明が解決しようとする他の課題は、表示品質を向上させる液晶表示装置の駆動方法を提供することである。
【０００７】
本発明が解決しようとする課題は、以上で言及した課題に制限されず、言及されていないさらに他の課題は、次の記載から当業者に明確に理解できるであろう。
【課題を解決するための手段】
【０００８】
前記技術的課題を達成するための本発明の一実施形態による液晶表示装置は、順次に第１原映像信号ないし第３原映像信号の提供を受けて順次に第１補正映像信号ないし第３補正映像信号を出力するタイミングコントローラ、および第１補正映像信号ないし第３補正映像信号の提供を受けて映像を表示する液晶パネルを含む。タイミングコントローラは、第１原映像信号を利用して第１階調に対応する第１変換映像信号を生成して保存する。第２原映像信号は、第２階調を有し、タイミングコントローラは、第２階調が第１階調より小さいとき、第２階調より大きな第３階調に対応する第２変換映像信号を生成する。
【０００９】
その他実施形態の具体的な内容は詳細な説明および図面に記載されている。
【発明の効果】
【００１０】
本発明の一実施形態による液晶表示装置およびその駆動方法によれば、映像信号が高階調から低階調に急減してまた増加する階調転移を含むとき、液晶の応答速度を考慮して低階調に対応する映像信号をより高い階調に対応する変換映像信号に変換することによって、現在フレームの補正映像信号の提供を受けて表示される映像の表示品質を向上させることができる。
【図面の簡単な説明】
【００１１】
【図１】本発明の一実施形態による液晶表示装置のブロック図である。
【図２】図１に示す液晶表示装置の一画素に対する等価回路図である。
【図３】本発明の一実施形態による液晶表示装置のタイミングコントローラを説明するためのブロック図である。
【図４】図３に示すタイミングコントローラの動作を説明するための図である。
【図５】本発明の他の実施形態による液晶表示装置のタイミングコントローラを説明するためのブロック図である。
【図６】図５に示すタイミングコントローラの動作を説明するための図である。
【図７】図５に示す第２信号変換部の動作を説明するための例示的なグラフである。
【図８】本発明のさらに他の実施形態による液晶表示装置のタイミングコントローラを説明するためのブロック図である。
【図９】図８に示すタイミングコントローラの動作を説明するための図である。
【図１０】図９に示す第１信号補償部に適用できる例示的なルックアップテーブルである。
【図１１】本発明のさらに他の実施形態による液晶表示装置のブロック図である。
【図１２】図１１に示す液晶表示装置の一画素に対する等価回路図である。
【図１３】本発明のまさらに他の実施形態による液晶表示装置のタイミングコントローラを説明するためのブロック図である。
【発明を実施するための最良の形態】
【００１２】
本発明の利点、特徴、およびそれらを達成する方法は、図面と共に詳細に後述される実施形態を参照すれば明確になるであろう。しかし、本発明は、以下で開示される実施形態に限定されるものではなく、互いに異なる多様な形態で実現されることが可能である。本実施形態は、単に本発明の開示が完全になるように、本発明が属する技術分野で通常の知識を有する者に対して発明の範疇を完全に知らせるために提供されるものであり、本発明は、請求項の範疇によってのみ定義される。なお、明細書全体にかけて、同一の参照符号は同一の構成要素を指すものとする。
【００１３】
一つの素子（ｅｌｅｍｅｎｔｓ）が、他の素子と「接続された（ｃｏｎｎｅｃｔｅｄ  ｔｏ）」または「カップリングされた（ｃｏｕｐｌｅｄ  ｔｏ）」と参照されるときは、他の素子と直接接続またはカップリングされた場合、あるいは中間に他の素子を介在させた場合のすべてを含む。これに対し、一つの素子が異なる素子と「直接接続された（ｄｉｒｅｃｔｌｙ  ｃｏｎｎｅｃｔｅｄ  ｔｏ）」または「直接カップリングされた（ｄｉｒｅｃｔｌｙ  ｃｏｕｐｌｅｄ  ｔｏ）」と参照されるときは、間に他の素子を介在させないことを表わす。明細書全体にかけて、同一の参照符号は、同一の構成要素を参照する。「および／または」は、言及されたアイテムの各々および一つ以上のすべての組合せを含む。
【００１４】
第１、第２等が、多様な素子、構成要素および／またはセクションを説明するために使用される。しかしながら、これら素子、構成要素および／またはセクションは、これらの用語によって制限されないことはもちろんである。これらの用語は単に一つの素子、構成要素、またはセクションを他の素子、構成要素、またはセクションと区別するために使用されるものである。したがって、以下で言及される第１素子、第１構成要素、または第１セクションは、本発明の技術的思想内で第２素子、第２構成要素、または第２セクションであり得る。
【００１５】
本明細書で使用された用語は、実施形態を説明するためであり、本発明を制限しようとするものではない。本明細書において単数形は、文言で特別に言及しない限り、複数形をも含む。明細書で使用される「含む」は、言及した構成要素、段階、動作、および／または素子は、一つ以上の他の構成要素、段階、動作、および／または素子の存在または追加を排除しない。
【００１６】
以下、本発明の実施形態による液晶表示装置およびその駆動方法を説明する。
【００１７】
先ず、図１〜図４を参照して本発明の一実施形態による液晶表示装置およびその駆動方法を説明する。図１は、本発明の一実施形態による液晶表示装置のブロック図である。図２は、図１の液晶表示装置の一画素に対する等価回路図である。図３は、本発明の一実施形態による液晶表示装置のタイミングコントローラを説明するためのブロック図である。図４は、図３のタイミングコントローラの動作を説明するための図である。
【００１８】
図１を参照すると、液晶表示装置１０は、液晶パネル１００、ゲート駆動部３００、データ駆動部４００、およびタイミングコントローラ２００を含む。
【００１９】
液晶パネル１００は、複数の表示信号線（Ｇ１〜Ｇｎ、Ｄ１〜Ｄｍ）と、これらに接続されてマトリックス形状で配列された複数の画素（ＰＸ）と、を含む。ここで、図２を参照すると、液晶パネル１００は、互いに対向する第１表示板１１０、第２表示板１２０および２つ表示板の間に入っている液晶１５０を含む。
【００２０】
表示信号線（Ｇ１〜Ｇｎ、Ｄ１〜Ｄｍ）は、ゲート信号を伝達する複数のゲート線（Ｇ１〜Ｇｎ）とデータ信号を伝達する複数のデータ線（Ｄ１〜Ｄｍ）とを含む。ゲート線（Ｇ１〜Ｇｎ）は、略行方向に延長されて互いに略平行であり、データ線（Ｄ１〜Ｄｍ）は略列方向に延長されて互いにほぼ平行である。
【００２１】
図２を参照すると、第１表示板１１０の画素電極（ＰＥ）と対向するように第２表示板１２０の共通電極（ＣＥ）の一部領域にカラーフィルタ（ＣＦ）が形成されてもよい。各画素、例えばｉ番目（ｉ＝１〜ｎ）のゲート線（Ｇｉ）とｊ番目（ｊ＝１〜ｍ）のデータ線（Ｄｊ）とに接続された画素は、信号線（Ｇｉ、Ｄｊ）に接続されたスイッチング素子（Ｑ）とこれに接続された液晶キャパシタ（ｌｉｑｕｉｄ  ｃｒｙｓｔａｌ  ｃａｐａｃｉｔｏｒ）（Ｃｌｃ）とストレージキャパシタ（ｓｔｏｒａｇｅ  ｃａｐａｃｉｔｏｒ）（Ｃｓｔ）とを含んでもよい。
【００２２】
再び図１を参照すると、タイミングコントローラ２００は、外部のグラフィック制御器（図示せず）から原映像信号（ＤＡＴｎ）および原映像信号（ＤＡＴｎ）の表示を制御する外部クロック信号を受信する。ここで、原映像信号（ＤＡＴｎ）は、Ｒ、Ｇ、Ｂ信号を含んでもよく、外部クロック信号は、データイネーブル信号（ＤＥ）、垂直同期信号（Ｖｓｙｎｃ）、水平同期信号（Ｈｓｙｎｃ）およびメインクロック信号（Ｍｃｌｋ）などを含んでもよい。データイネーブル信号（ＤＥ）は、原映像信号（ＤＡＴｎ）が入力される期間の間ハイレベルを維持してグラフィック制御器（図示せず）から提供される信号が原映像信号（ＤＡＴｎ）であることを知らせる信号であり、垂直同期信号（Ｖｓｙｎｃ）は、一フレームの開始を知らせる信号であり、水平同期信号（Ｈｓｙｎｃ）は、ゲートラインを区別する信号であり、メインクロック信号（Ｍｃｌｋ）は、液晶表示装置１０の動作に必要な他の信号の同期になるクロック信号である。
【００２３】
タイミングコントローラ２００は、外部クロック信号に基づいてゲート制御信号（ＣＯＮＴ１）とデータ制御信号（ＣＯＮＴ２）とを生成して、ゲート制御信号（ＣＯＮＴ１）をゲート駆動部３００に、データ制御信号（ＣＯＮＴ２）をデータ駆動部４００に送る。
【００２４】
また、タイミングコントローラ２００は、原映像信号（ＤＡＴｎ）の提供を受けて原映像信号（ＤＡＴｎ）を補正した補正映像信号（ＤＡＴｎ’）を出力する。タイミングコントローラ２００は、順次に第１原映像信号〜第３原映像信号の提供を受けて、順次に第１補正映像信号〜第３補正映像信号を出力する。タイミングコントローラ２００は、第１原映像信号を利用して第１階調に対応する第１変換映像信号を生成して保存し、第２原映像信号に対応する第２階調が第１階調より低いとき、第２原映像信号を利用して第２階調より高い第３階調に対応する第２変換映像信号を生成し、第２変換映像信号と第３原映像信号とを利用して第３補正映像信号を生成して出力する。第１変換映像信号、第２変換映像信号および第３補正映像信号を生成することについては、図３および図４を参照して後述する。
【００２５】
ゲート駆動部３００は、タイミングコントローラ２００からゲート制御信号（ＣＯＮＴ１）の提供を受けて、ゲート信号をゲート線（Ｇ１〜Ｇｎ）に順次に印加する。このとき、ゲート制御信号（ＣＯＮＴ１）は、ゲート駆動部３００の動作を制御するための信号であり、ゲート駆動部３００の動作を開始する垂直開始信号（ＳＴＶ）、ゲートオン電圧の出力時期を決定するゲートクロック信号（ＣＰＶ）およびゲートオン電圧のパルス幅を決定する出力イネーブル信号（ＯＥ）などを含んでもよい。ここで、ゲート信号はゲートオン／オフ電圧生成部（図示せず）から提供されたゲートオン電圧（Ｖｏｎ）とゲートオフ電圧（Ｖｏｆｆ）との組合せから成る。
【００２６】
データ駆動部４００は、タイミングコントローラ２００からデータ制御信号（ＣＯＮＴ２）および補正映像信号（ＤＡＴｎ’）の提供を受けて、映像データ電圧をデータ線（Ｄ１〜Ｄｍ）に印加する。データ制御信号（ＣＯＮＴ２）は、データ駆動部４００の動作を制御する信号であって、データ駆動部４００の動作を開始する水平開始信号（ＳＴＨ）、データ電圧の出力を指示する出力指示信号（ＴＰ）などを含んでもよい。映像データ電圧は、階調電圧生成部５００から提供される階調電圧を利用して補正映像信号（ＤＡＴｎ’）に対応する階調電圧であってもよい。
【００２７】
階調電圧生成部５００は、駆動電圧が印加されるノードとグラウンドとの間に直列で接続された複数の抵抗を含み、駆動電圧の電圧レベルを分配して複数の階調電圧を生成することができる。階調電圧生成部５００の内部回路はこれに限定されず、多様に実現することができる。
【００２８】
図３および図４を参照して本発明の一実施形態による液晶表示装置１０のタイミングコントローラ２００の動作を調べる。
【００２９】
図３を参照すると、タイミングコントローラ２００は、信号変換部２１０、メモリ２２０、信号補正部２３０を含んでもよい。
【００３０】
前述したように、タイミングコントローラ２００は、順次に第１原映像信号〜第３原映像信号の提供を受けて、順次に第１補正映像信号〜第３補正映像信号を出力し、第１原映像信号を利用して第１階調に対応する第１変換映像信号を生成して保存し、第２原映像信号に対応する第２階調が第１階調より小さいとき、第２原映像信号を利用して第２階調より大きな第３階調に対応する第２変換映像信号を生成し、第２変換映像信号と第３原映像信号とを利用して第３補正映像信号を生成して出力する。
【００３１】
このとき、第１原映像信号〜第３原映像信号は、連続する第１フレーム〜第３フレームの間に液晶パネル１００に表示される映像に各々対応する信号である。例えば、第３原映像信号を現在フレームの原映像信号（ＤＡＴｎ）とする場合、第２原映像信号は直前フレームの原映像信号（ＤＡＴｎ−１）を、第１原映像信号は直前フレームの前のフレームの原映像信号（ＤＡＴｎ−２）を意味する。
【００３２】
信号補正部２３０は、図面に示すように、現在フレームの原映像信号（ＤＡＴｎ）と直前フレームの変換映像信号（ｔＤＡＴｎ−１）とを利用して、現在フレームの原映像信号（ＤＡＴｎ）を補正して補正映像信号（ＤＡＴｎ’）を出力する。このとき、直前フレームの変換映像信号（ｔＤＡＴｎ−１）は、メモリ２２０から提供される。補正映像信号（ＤＡＴｎ’）は液晶パネル１００に伝送されて、補正映像信号（ＤＡＴｎ’）に対応する映像が液晶パネル１００上に表示される。例えば、信号補正部２３０は、液晶パネル１００に含まれた液晶の応答速度を向上させるためのＤＣＣ（Ｄｙｎａｍｉｃ  Ｃａｐａｃｉｔａｎｃｅ  Ｃｏｍｐｅｎｓａｔｉｏｎ）補正を行ってもよい。さらに、信号補正部２３０は、現在フレームの原映像信号に対応する階調と直前フレームの変換映像信号に対応する階調との組み合わせに対応する階調値を複数含むルックアップテーブルを含んでもよい。例えば、現在フレームの原映像信号（ＤＡＴｎ）がａ階調に対応し、直前フレームの変換映像信号（ｔＤＡＴｎ−１）がｂ階調に対応するとき、信号補正部２３０は、ルックアップテーブルを参照して現在フレームの映像信号に対応する複数の階調のうちａ階調に対応する階調と直前フレームの映像信号に対応する複数の階調のうちｂ階調に対応する階調との組み合わせに対応する階調値を現在フレームの補正映像信号（ＤＡＴｎ’）に対応する階調として決定してもよい。ルックアップテーブルに保存される階調値および、現在フレームと直前フレームとの映像信号に対応する複数の階調などは一つの例示的なものに過ぎず、液晶表示装置の使用目的などによって多様な方式で変更して適用できる。
【００３３】
信号変換部２１０は、現在フレームの原映像信号（ＤＡＴｎ）の入力受けて、現在フレームの原映像信号（ＤＡＴｎ）を変換して現在フレームの変換映像信号（ｔＤＡＴｎ）を出力する。信号変換部２１０は、外部から提供された現在フレームの原映像信号（ＤＡＴｎ）とメモリ２２０から提供された直前フレームの変換映像信号（ｔＤＡＴｎ−１）とを利用して、現在フレームの原映像信号（ＤＡＴｎ）を変換映像信号（ｔＤＡＴｎ）に変換して出力する。信号変換部２１０で生成された現在フレームの変換映像信号（ｔＤＡＴｎ）は、メモリ２２０に提供されて、例えば、一フレームの間、メモリ２２０に保存されて信号変換部２１０に提供されてもよい。
【００３４】
従って、信号変換部２１０は、順次に提供される第１原映像信号〜第３原映像信号に対し、第１原映像信号の提供を受けて第１原映像信号に対応する第１変換映像信号を生成して保存し、第２原映像信号の提供を受けて第１変換映像信号と第２原映像信号とを利用して第２変換映像信号を生成して保存し、第３原映像信号の提供を受けて第２変換映像信号と第３原映像信号とを利用して第３補正映像信号を生成する。
【００３５】
このとき、信号変換部２１０は、タイミングコントローラ２００に提供される原映像信号のうち一部のみを変換映像信号に変換してもよい。例えば、現在フレームの原映像信号（ＤＡＴｎ）に対応する第２階調が直前フレームの変換映像信号（ｔＤＡＴｎ−１）に対応する第１階調より小さいとき、現在フレームの原映像信号（ＤＡＴｎ）を変換映像信号（ｔＤＡＴｎ）に変換してもよい。信号変換部２１０は、現在フレームの原映像信号（ＤＡＴｎ）に対応する第２階調が基準階調より小さく、直前フレームの原映像信号に対応する第１階調が基準階調より大きいとき、現在フレームの原映像信号（ＤＡＴｎ）を変換映像信号（ｔＤＡＴｎ）に変換してもよい。
【００３６】
すなわち、原映像信号が高階調から低階調に急減するとき、信号補正部２３０が直前フレームの変換映像信号（ｔＤＡＴｎ−１）を利用して現在フレームの原映像信号（ＤＡＴｎ）を補正するようにすることによって、直前フレームの原映像信号を利用して現在フレームの原映像信号（ＤＡＴｎ）を補正する場合よりも表示品質を向上させることができる。
【００３７】
信号変換部２１０は、例えば、ルックアップテーブル（図示せず）を利用して現在フレームの変換映像信号（ｔＤＡＴｎ）を生成してもよい。
【００３８】
ルックアップテーブルは、直前フレームの変換映像信号（ｔＤＡＴｎ−１）と現在フレームの原映像信号（ＤＡＴｎ）との組み合わせに対応する複数の階調値を含んでもよい。ルックアップテーブルの各階調値は、直前フレームで変換映像信号（ｔＤＡＴｎ−１）に対応する映像を表示している液晶パネル１００に現在フレームの原映像信号（ＤＡＴｎ）を印加し、一フレームの時間の間に液晶パネル１００が到達した階調値を測定した実験値であってもよい。ルックアップテーブルは、液晶表示装置の仕様によって多様に変更された階調値を含んでもよい。したがって、信号変換部２１０は、ルックアップテーブルを参照して直前フレームの変換映像信号（ｔＤＡＴｎ−１）と現在フレームの原映像信号（ＤＡＴｎ）との組み合わせに対応する階調値を現在フレームの変換映像信号（ｔＤＡＴｎ）として出力する。
【００３９】
メモリ２２０は、信号変換部２１０から提供された現在フレームの変換映像信号（ｔＤＡＴｎ）を、例えば、一フレームの間保存して直前フレームの変換映像信号（ｔＤＡＴｎ−１）として信号変換部２１０および信号補正部２３０に出力する。すなわち、メモリ２２０に保存された直前フレームの変換映像信号（ｔＤＡＴｎ−１）は、直前フレームの前のフレームの変換映像信号と直前フレームの原映像信号とを利用して生成された信号であって、直前フレームの変換映像信号（ｔＤＡＴｎ−１）は、直前フレームの前のフレームの変換映像信号に対する情報を含んでいると言える。したがって、本発明の実施形態による液晶表示装置は、メモリ２２０に直前フレームの変換映像信号（ｔＤＡＴｎ−１）を保存することによって、一フレームの映像信号に対応するメモリ容量で、三つのフレームに該当する映像信号を考慮して現在の映像信号を補正することができる。
【００４０】
図４を参照してタイミングコントローラ２００の動作についてさらに詳しく述べる。説明の便宜のために、原映像信号を各々第１原映像信号〜第３原映像信号（ＤＡＴ１、ＤＡＴ２、ＤＡＴ３）は、連続する第１フレーム〜第３フレームに対応するとみなし、各フレーム単位で説明する。また、図面では第１フレーム〜第３フレームで示すが、第１フレーム〜第３フレームより先行するフレームおよび後行するフレームに対する原映像信号が連続的に提供されることは明らかである。
【００４１】
第３フレームで、信号補正部２３０は、第３原映像信号（ＤＡＴ３）を利用して第３補正映像信号（ＤＡＴ３’）を生成する。第３補正映像信号（ＤＡＴ３’）は、第２変換映像信号（ｔＤＡＴ２）と第３原映像信号（ＤＡＴ３）とを利用して生成される。前述したように、第３補正映像信号（ＤＡＴ３’）を生成するには、第２変換映像信号（ｔＤＡＴ２）と第３原映像信号（ＤＡＴ３）との組み合わせに対応する複数の階調値を含むルックアップテーブルを参照してもよく、各階調値は第２変換映像信号（ｔＤＡＴ２）と第３原映像信号（ＤＡＴ３）との組み合わせに対応するＤＣＣ補正値であってもよい。しかし、本発明はこれに限定されない。
【００４２】
第２フレームで信号変換部２１０は、第２原映像信号（ＤＡＴ２）を利用して第２変換映像信号（ｔＤＡＴ２）を生成する。第２変換映像信号（ｔＤＡＴ２）は、メモリ２２０に既に保存されていた第１変換映像信号（ｔＤＡＴ１）と第２原映像信号（ＤＡＴ２）とを利用して生成される。前述したように、信号変換部２１０は、第１変換映像信号（ｔＤＡＴ１）と第２原映像信号（ＤＡＴ２）との組み合わせに対応する複数の階調値を含むルックアップテーブルを参照してもよい。
【００４３】
第２原映像信号（ＤＡＴ２）に対応する第２階調（Ｇ２）は、第１変換映像信号（ｔＤＡＴ１）の第１階調（Ｇ１）より小さい。すなわち、第２原映像信号（ＤＡＴ２）の第２階調（Ｇ２）が第１階調（Ｇ１）より小さいとき、第２原映像信号（ＤＡＴ２）を利用して第３階調（Ｇ３）に対応する第２変換映像信号（ｔＤＡＴ２）を生成する。このとき、第３階調（Ｇ３）は第２階調（Ｇ２）より大きい。また、第３階調（Ｇ３）は、第３原映像信号（ＤＡＴ３）に対応する第４階調（Ｇ４）より小さくてもよい。
【００４４】
さらに、任意の基準階調（Ｇｒｅｆ）に対して、第１階調（Ｇ１）は基準階調（Ｇｒｅｆ）より大きく、第２階調（Ｇ２）は基準階調（Ｇｒｅｆ）より小さくてもよい。すなわち、第１階調（Ｇ１）は高階調であり、第２階調（Ｇ２）は低階調であってもよい。また、第３原映像信号（ＤＡＴ３）に対応する第４階調（Ｇ４）は、第２階調（Ｇ２）より大きくてもよい。したがって、図面に示すように、映像信号が高階調から低階調に急減してまた上昇する階調変化を含むとき、第２原映像信号（ＤＡＴ２）に対応する第２階調（Ｇ２）をより高い第３階調（Ｇ３）に変換することによって、液晶パネル１００に表示される映像の表示品質を向上させることができる。
【００４５】
特に、本発明の実施形態による液晶表示装置は、第２原映像信号（ＤＡＴ２）が第１変換映像信号（ｔＤＡＴ１）より小さい階調に対応するとき、例えば、高階調である第１変換映像信号（ｔＤＡＴ１）から低階調である第２原映像信号（ＤＡＴ２）に移るとき、ルックアップテーブルを利用して第２原映像信号（ＤＡＴ２）に対応する第２変換映像信号（ｔＤＡＴ２）を生成してメモリ２２０に保存し、第３原映像信号（ＤＡＴ３）の提供を受けて、第２変換映像信号（ｔＤＡＴ２）と第３原映像信号（ＤＡＴ３）とを利用して第３補正映像信号（ＤＡＴ３’）を生成して、第３補正映像信号（ＤＡＴ３’）に対応する映像を液晶パネル１００に表示してもよい。
【００４６】
本発明の一実施形態による液晶表示装置およびその駆動方法によれば、映像信号が高階調から低階調に急減してまた増加する階調転移を含むとき、液晶の応答速度を考慮して低階調に該当する映像信号をより高い階調に対応する変換映像信号に変換することによって、現在フレームの補正映像信号の提供を受けて表示される映像の表示品質を向上させることができる。
【００４７】
以下、図５〜図７を参照して本発明の他の実施形態による液晶表示装置およびその駆動方法を説明する。図５は、本発明の他の実施形態による液晶表示装置のタイミングコントローラを説明するためのブロック図である。図６は、図５のタイミングコントローラの動作を説明するための図である。図７は、図５の第２信号変換部の動作を説明するための例示的なグラフである。本発明の他の実施形態による液晶表示装置およびその駆動方法は、信号補償部をさらに含むという点で前述の本発明の一実施形態による液晶表示装置と区別される。前述した実施形態と実質的に同一の構成要素に対する詳細な説明は省略する。
【００４８】
図５および図６を参照すると、本発明の他の実施形態による液晶表示装置のタイミングコントローラ２０１は、信号変換部２１１、メモリ２２０、信号補償部２４１、および信号補正部２３１を含む。
【００４９】
信号変換部２１１は、ルックアップテーブルを参照して外部から提供された現在フレームの原映像信号（ＤＡＴｎ）と、メモリ２２０から提供された直前フレームの変換映像信号（ｔＤＡＴｎ−１）との組み合わせに対応する階調値を利用して、現在フレームの変換映像信号（ｔＤＡＴｎ）を生成する。生成された現在フレームの変換映像信号（ｔＤＡＴｎ）は、一フレームの間メモリ２２０に保存されて、直前フレームの変換映像信号（ｔＤＡＴｎ−１）として信号変換部２１１および信号補償部２４１に伝送される。
【００５０】
信号変換部２１１は、現在フレームの原映像信号（ＤＡＴｎ）に対応する第２階調（Ｇ２）が直前フレームの変換映像信号（ｔＤＡＴｎ−１）に対応する第１階調（Ｇ１）より小さいとき、現在フレームの原映像信号（ＤＡＴｎ）を第２階調（Ｇ２）より大きな第３階調（Ｇ３）に対応する変換映像信号（ｔＤＡＴｎ）に変換する。このとき、信号変換部２１１は、現在フレームの原映像信号（ＤＡＴｎ）が変換されたことを知らせる信号、例えば、変換フラッグ信号（ＦＬＡＧ）を信号補償部２４１に送信して、信号補償部２４１は、現在フレームの原映像信号（ＤＡＴｎ）が変換されているかどうかよって信号を補償するかどうかを決定してもよい。変換フラッグ信号（ＦＬＡＧ）は、第２原映像信号（ＤＡＴ２）が第２変換映像信号（ｔＤＡＴ２）に変換されたとき、オン（ＯＮ）の状態で伝送されてもよい。
【００５１】
信号補償部２４１は、変換フラッグ信号（ＦＬＡＧ）に応答して、メモリ２２０から直前フレームの変換映像信号（ｔＤＡＴｎ−１）の提供を受けて、現在フレームの原映像信号（ＤＡＴｎ）を参照して直前フレームの補償映像信号（ｔｔＤＡＴｎ−１）を生成する。現在フレームの原映像信号（ＤＡＴｎ）に対応する第４階調（Ｇ４）が直前フレームの補償映像信号（ｔｔＤＡＴｎ−１）に対応する第３階調（Ｇ３）より小さいとき、信号補償部２４１は、直前フレームの変換映像信号（ｔＤＡＴｎ−１）を利用して、第３階調（Ｇ３）より小さい第５階調（Ｇ５）に対応する直前フレームの補償映像信号（ｔｔＤＡＴｎ−１）を生成する。
【００５２】
すなわち、図６に示すように、第１階調（Ｇ１）の第１変換映像信号（ｔＤＡＴ１）および第２階調（Ｇ２）の第２原映像信号（ＤＡＴ２）によって、第２原映像信号（ＤＡＴ２）は第３階調（Ｇ３）の第２変換映像信号（ｔＤＡＴ２）に変換される。その後、例えば第４階調（Ｇ４）の第３原映像信号（ＤＡＴ３）に基づいて第２変換映像信号（ｔＤＡＴ２）を補償することにより、第５階調（Ｇ５）の補償映像信号（ｔｔＤＡＴ２）が生成され、第５階調（Ｇ５）の補償映像信号（ｔｔＤＡＴ２）を利用して第３原映像信号（ＤＡＴ３）を補正し、第３補正映像信号（ＤＡＴ３’）を生成する。
【００５３】
第４階調（Ｇ４）に基づいて直前フレームの変換映像信号（ｔＤＡＴ２）を補償して、直前フレームの補償映像信号（ｔｔＤＡＴ２）を生成することは、例えば、任意の基準階調を基準として、第４階調（Ｇ４）が基準階調（Ｇｒｅｆ）より大きい場合と、第４階調（Ｇ４）が基準階調（Ｇｒｅｆ）より小さい場合とに対して互いに異なる補償法を適用してもよい。
【００５４】
図７に示すように、第３原映像信号（ＤＡＴ３）の第４階調（Ｇ４）を参照して２つ以上の補償式のうち何れか一つを選択的に適用して補償映像信号（ｔｔＤＡＴ２）を生成してもよい。図７は、第４階調（Ｇ４）に対応する第３原映像信号（ＤＡＴ３）と第３階調（Ｇ３）に対応する第２変換映像信号（ｔＤＡＴ２）とに対する補償映像信号（ｔｔＤＡＴ２）として適する第５階調（Ｇ５）を実験的に求めた例示的なグラフである。凡例に表示した「２５５−０、１６、３２−」は「第１階調−第３階調−」を意味する。すなわち、第１階調（Ｇ１）が２５５であり、第３階調（Ｇ３）が０、１６、および３２であるとき、第４階調（Ｇ４）によって変わる第５階調（Ｇ５）に対する実験値をグラフで示すものである。さらに説明すると、各々の折れ線グラフは０〜２５５階調のうち１６個の階調段階に対するすべての組み合わせを意味し、各組み合わせに対して第３原映像信号（ＤＡＴ３）の第４階調（Ｇ４）が変わることによって補償される第５階調（Ｇ５）を示す。
【００５５】
実験対象として使用した液晶パネル１００の場合、１２８階調を基準としてグラフの傾きが互いに異なる第１領域と第２領域とに区分することができた。図面に示すように、第１領域のグラフ（ａ）から傾きＡを有する一次式を導出することができ、第２領域のグラフ（ｂ）から傾きＢを有する一次式を導出することができた。すなわち、１２８階調を基準階調とするとき、第４階調（Ｇ４）が基準階調、例えば１２８階調より小さく、第１領域に含まれる場合、第２変換映像信号（ｔＤＡＴ２）に下記補償式１を適用して補償映像信号（ｔｔＤＡＴ２）が生成されてもよい。同様に、第４階調（Ｇ４）が基準階調、例えば１２８階調より大きい第２領域に含まれる場合、第２変換映像信号（ｔＤＡＴ２）に下記補償式２を適用して補償映像信号（ｔｔＤＡＴ２）が生成されてもよい。補償式１および補償式２は次のとおりである。
【００５６】
【数１】
2010152320.tif 000003
（補償式１）
【数２】
2010152320.tif 000004
（補償式２）
【００５７】
基準階調の設定や補償式は、液晶パネルの仕様によって多様に変形して適用することができ、前述したのは一つの実施形態に他ならない。
【００５８】
従って、本発明の他の実施形態による液晶表示装置およびその駆動方法によれば、液晶の応答特性を考慮して映像信号が高階調から低階調に急減してまた増加する階調転移を含むとき、第２原映像信号が変換された第２変換映像信号を補償することによって、第３原映像信号を、補償映像信号を利用して補正することができる。したがって、現在フレームの補正映像信号の提供を受けて表示される映像の表示品質を向上させることができる。
【００５９】
以下、図８〜図１０を参照して本発明のさらに他の実施形態による液晶表示装置およびその駆動方法を説明する。図８は、本発明のさらに他の実施形態による液晶表示装置のタイミングコントローラを説明するためのブロック図である。図９は、図８のタイミングコントローラの動作を説明するための図である。図１０は、図９の第１信号補償部に適用できる例示的なルックアップテーブルである。
【００６０】
本発明のさらに他の実施形態による液晶表示装置およびその駆動方法は、補償映像信号に対応する階調および第３原映像信号に対応する階調によって、第３補正映像信号を再度補正するという点で前述した実施形態と区別される。以下ではこのような区別点を中心に説明し、前述したものと実質的に同一の構成要素については省略または簡略に説明する。
【００６１】
図８および図９を参照すると、本発明のさらに他の実施形態による液晶表示装置のタイミングコントローラ２０２は、信号変換部２１１、メモリ２２０、信号補償部２４２、および信号補正部２３２を含む。
【００６２】
信号変換部２１１は、ルックアップテーブルを参照して外部から提供された現在フレームの原映像信号（ＤＡＴｎ）とメモリ２２０から提供された直前フレームの変換映像信号（ｔＤＡＴｎ−１）との組み合わせに対応する階調値を利用して現在フレームの変換映像信号（ｔＤＡＴｎ）を生成する。生成された現在フレームの変換映像信号（ｔＤＡＴｎ）は、一フレームの間メモリ２２０に保存されて、直前フレームの変換映像信号（ｔＤＡＴｎ−１）として信号変換部２１１および信号補償部２４２に伝送される。
【００６３】
信号変換部２１１は、現在フレームの原映像信号（ＤＡＴｎ）に対応する階調が、直前フレームの原映像信号（ＤＡＴｎ−１）に対応する階調より小さく、直前フレームの原映像信号（ＤＡＴｎ−１）に対応する階調との差が第１基準値より大きく、直前フレームの変換映像信号（ｔＤＡＴｎ−１）に対応する階調との差が第２基準値より大きいとき、変換フラッグ信号（ＦＬＡＧ）を信号補償部２４２および信号補正部２３２に送信する。
【００６４】
信号補償部２４２は、第１信号補償部２４５と第２信号補償部２４６とを含んでもよい。
【００６５】
第１信号補償部２４５は、メモリ２２０から直前フレームの変換映像信号（ｔＤＡＴｎ−１）の提供を受けて、初期補償映像信号（ｔｔＤＡＴｎ−１）を生成する。第１信号補償部２４５は、生成された初期補償映像信号（ｔｔＤＡＴｎ−１）を第２信号補償部２４６に送信する。例えば、第１信号補償部２４５は、図１０に示すルックアップテーブルを利用して初期補償映像信号（ｔｔＤＡＴｎ−１）を生成してもよい。
【００６６】
第２信号補償部２４６は、変換フラッグ信号（ＦＬＡＧ）および現在フレームの原映像信号（ＤＡＴｎ）に基づいて、初期補償映像信号（ｔｔＤＡＴｎ−１）を利用して再補償映像信号（ｓｔｔＤＡＴｎ−１）を生成する。第２信号補償部２４６は、変換フラッグ信号（ＦＬＡＧ）の提供を受けて、変換フラッグ信号（ＦＬＡＧ）が第１レベル、例えばＯＮ信号であり、直前フレームの変換映像信号（ｔＤＡＴｎ−１）に対応する階調と現在フレームの原映像信号（ＤＡＴｎ）に対応する階調との差が基準値より小さいとき、再補償映像信号（ｓｔｔＤＡＴｎ−１）を生成する。
【００６７】
前述したように、第２信号補償部２４６に提供された初期補償映像信号（ｔｔＤＡＴｎ−１）は、メモリ２２０に一フレームの間保存されて第１信号補償部２４５に提供されたものであって、直前フレームの変換映像信号（ｔＤＡＴｎ−１）に対応する。したがって、第２信号補償部２４６に提供される変換フラッグ信号（ＦＬＡＧ）も、直前フレームに対応する信号である。
【００６８】
従って、第２信号補償部２４６は、変換フラッグ信号（ＦＬＡＧ）が第１レベルであるとき、直前フレームの変換映像信号（ｔＤＡＴｎ−１）に対応する階調より現在フレームの原映像信号（ＤＡＴｎ）に対応する階調が低く、現在フレームの原映像信号（ＤＡＴｎ）に対応する階調が基準階調より小さい場合、初期補償映像信号（ｔｔＤＡＴｎ−１）を利用して再補償映像信号（ｓｔｔＤＡＴｎ−１）を生成する。第２信号補償部２４６は、生成された再補償映像信号（ｓｔｔＤＡＴｎ−１）を第１信号補正部２３５に提供する。
【００６９】
ここで、初期補償映像信号（ｔｔＤＡＴｎ−１）を利用して再補償映像信号（ｓｔｔＤＡＴｎ−１）を生成するには、次の補償式３を適用することができる。
【００７０】
【数３】
2010152320.tif 000005
（補償式３）
（ただし、０≦Ｃ≦１）
【００７１】
信号補正部２３２は、第１信号補正部２３５と第２信号補正部２３６とを含んでもよい。
【００７２】
第１信号補正部２３５は、直前フレームの再補償映像信号（ｓｔｔＤＡＴｎ−１）の提供を受けて、現在フレームの原映像信号（ＤＡＴｎ）を利用して現在フレームの初期補正映像信号（ａＤＡＴｎ）を生成する。第１信号補正部２３５は、初期補正映像信号（ａＤＡＴｎ）を第２信号補正部２３６に送信する。
【００７３】
第２信号補正部２３６は、変換フラッグ信号（ＦＬＡＧ）および現在フレームの原映像信号（ＤＡＴｎ）に基づいて、初期補正映像信号（ａＤＡＴｎ）を利用して再補正映像信号（ＤＡＴｎ’）を生成する。第２信号補正部２３６は、変換フラッグ信号（ＦＬＡＧ）の提供を受けて、変換フラッグ信号（ＦＬＡＧ）が第１レベル、例えばＯＮ信号であり、直前フレームの変換映像信号（ｔＤＡＴｎ−１）に対応する階調より現在フレームの原映像信号（ＤＡＴｎ）に対応する階調が低いとき、再補正映像信号（ＤＡＴｎ’）を生成する。
【００７４】
ここで、初期補正映像信号（ａＤＡＴｎ）を利用して再補正映像信号（ＤＡＴｎ’）を生成するには、下記補正式４を適用することができる。
【００７５】
【数４】
2010152320.tif 000006
（補償式４）
（ただし、０≦  Ｄ≦１）
【００７６】
図面に示すように、第２信号補正部２３６は、第２信号補償部２４６から再補償映像信号（ｓｔｔＤＡＴｎ−１）の提供を受けて、再補償映像信号（ｓｔｔＤＡＴｎ−１）および初期補正映像信号（ａＤＡＴｎ）を利用して再補正映像信号（ＤＡＴｎ’）を生成する。第２信号補正部２３６は、変換フラッグ信号（ＦＬＡＧ）が第１レベル、すなわちＯＮ信号であり、直前フレームの変換映像信号（ｔＤＡＴｎ−１）に対応する階調より現在フレームの原映像信号（ＤＡＴｎ）に対応する階調が低く、現在フレームの原映像信号（ＤＡＴｎ）に対応する階調が基準階調より小さいとき、再補正映像信号（ＤＡＴｎ’）を生成する。
【００７７】
図９に示すように、第１原映像信号〜第４原映像信号（ＤＡＴ１〜ＤＡＴ４）は連続する第１フレーム〜第４フレームに対応し、第２原映像信号〜第４原映像信号（ＤＡＴ２〜ＤＡＴ４）は各々第２階調（Ｇ２）、第４階調（Ｇ４）、および第１０階調（Ｇ１０）に対応する。このとき、第２階調（Ｇ２）が第１階調（Ｇ１）より小さく、第１階調（Ｇ１）との差が第１基準値より大きい場合、信号変換部２１１は、第２階調（Ｇ２）に対応する第２原映像信号（ＤＡＴ２）を利用して、第２階調（Ｇ２）に対応する第２変換映像信号（ｔＤＡＴ２）を生成する。このとき、信号変換部２１１は、第１レベルの変換フラッグ信号（ＦＬＡＧ）を信号補償部２４２および信号補正部２３２に提供する。図面では、第２階調（Ｇ２）、第４階調（Ｇ４）、および第１０階調（Ｇ１０）が互いに同一の場合を図示しているが、互いに異なる階調であってもよい。ただし、第３原映像信号（ＤＡＴ３）に対応する第４階調（Ｇ４）は、基準階調より小さいことが好ましい。
【００７８】
第１信号補償部２４５は、前述した実施形態の信号補償部（図５の２４１参照）と実質的に同一に動作する。すなわち、第４階調（Ｇ４）に対応する第３原映像信号（ＤＡＴ３）に基づいて、第３階調（Ｇ３）の第２変換映像信号（ｔＤＡＴ２）を利用して第５階調（Ｇ５）の補償映像信号（ｔｔＤＡＴ２）を生成する。
【００７９】
第２原映像信号（ＤＡＴ２）に対応する第５階調（Ｇ５）の補償映像信号（ｔｔＤＡＴ２）を利用して、第１信号補正部２３５は、第４階調（Ｇ４）に対応する第３原映像信号（ＤＡＴ３）を第６階調（Ｇ６）に対応する初期補正映像信号（ａＤＡＴ３）に補正する。第２信号補正部２３６は、変換フラッグ信号（ＦＬＡＧ）の信号レベルおよび第５階調（Ｇ５）の補償映像信号（ｔｔＤＡＴ２）と第４階調（Ｇ４）の第３原映像信号（ＤＡＴ３）との間の階調差を参照して、第６階調（Ｇ６）の初期補正映像信号（ａＤＡＴ３）を第７階調（Ｇ７）の再補正映像信号（ＤＡＴ３’）に補正する。
【００８０】
図面に図示していないが、前述した第２原映像信号（ＤＡＴ２）に対応する第２変換映像信号（ｔＤＡＴ２）の生成と同様に、第３原映像信号（ＤＡＴ３）に対応する第３変換映像信号に対しても、第８階調（Ｇ８）の第３初期補償映像信号（ｔｔＤＡＴ３）が生成される。第３初期補償映像信号（ｔｔＤＡＴ３）に対して、変換フラッグ信号（ＦＬＡＧ）が第１レベルであり、第３原映像信号（ＤＡＴ３）に対応する第４階調（Ｇ４）と第２変換映像信号（ｔＤＡＴ２）に対応する第３階調（Ｇ３）との間の差が基準値より大きいとき、第２信号補償部２４６は、第８階調（Ｇ８）の第３初期補償映像信号（ｔｔＤＡＴ３）を第９階調（Ｇ９）の第３再補償映像信号（ｓｔｔＤＡＴ３）に補償する。
【００８１】
第９階調（Ｇ９）の第３再補償映像信号（ｓｔｔＤＡＴ３）は第１信号補正部２３５に提供されて、第１０階調（Ｇ１０）に対応する第４原映像信号（ＤＡＴ４）を補正した第４補正映像信号（ＤＡＴ４’）が生成される。場合によって、第４補正映像信号（ＤＡＴ４’）は第２補正部２３６を経ずに液晶パネル１００として出力されてもよい。
【００８２】
本発明のさらに他の実施形態による液晶表示装置およびその駆動方法によれば、第２信号補償部で再補償映像信号を生成して第２信号補正部で再補正映像信号を生成することによって液晶パネルに表示される映像がさらに安定化されて、表示品質が向上する長所がある。
【００８３】
以下、図１１〜図１３を参照して本発明のさらに他の実施形態による液晶表示装置およびその駆動方法を説明する。図１１は、本発明のさらに他の実施形態による液晶表示装置のブロック図である。図１２は、図１１の液晶表示装置の一画素に対する等価回路図である。図１３は、本発明のまた他の実施形態による液晶表示装置のタイミングコントローラを説明するためのブロック図である。
【００８４】
本発明のさらに他の実施形態による液晶表示装置およびその駆動方法は、補正映像信号を第１サブ映像信号と第２サブ映像信号とに変換して出力する第２信号補正部を含むという点で前述した実施形態による液晶表示装置およびその駆動方法と区別することができる。先立って説明した構成要素と実質的に同一の構成要素についての詳細な説明は省略または簡略にする。
【００８５】
図１１を参照すると、液晶表示装置１２は、液晶パネル１００、ゲート駆動部３００、データ駆動部４００、およびタイミングコントローラ２０３を含む。
【００８６】
液晶パネル１００は、複数の画素（ＰＸ）と複数のゲートライン（Ｇ１〜Ｇｎ）と、複数のデータライン（Ｄ１〜Ｄ２ｍ）とを含む。
【００８７】
複数のゲートライン（Ｇ１〜Ｇｎ）にはゲート駆動部３００から出力されたゲートオン／オフ電圧（Ｖｏｎ、Ｖｏｆｆ）が印加され、複数のデータライン（Ｄ１〜Ｄ２ｍ）にはデータ駆動部４００から出力されたデータ電圧が印加される。ゲートライン（Ｇ１〜Ｇｎ）は略列方向に延長され互いにほぼ平行であり、複数のデータライン（Ｄ１〜Ｄ２ｍ）は各画素列当たり２個ずつ具備されて略列方向に延長され互いにほぼ平行である。
【００８８】
図１２を参照すると、一つの画素（ＰＸ）は、第１サブ画素４１０と第２サブ画素４２０とを含む。第１サブ画素４１０と第２サブ画素４２０とは、第１画素電極４１１および第２画素電極４２１が形成された第１基板１３０と、共通電極（ＣＥ）およびカラーフィルタ（ＣＦ）が形成された第２基板１４０との間に形成される。また第１データラインおよび第２データライン（Ｄｊ、Ｄｊ＋１）とゲートライン（Ｇｉ）とが具備される。
【００８９】
一つの画素（ＰＸ）には、各々互いに異なる第１データ電圧と第２データ電圧とが印加されるが、第１データ電圧は、図８のタイミングコントローラ２０３が出力した第１サブ映像信号（ＨＤＡＴｎ’）に対応する電圧であり、第２データ電圧は、第２サブ映像信号（ＬＤＡＴｎ’）に対応する電圧である。ここで、第１データ電圧は第２データ電圧より大きい。
【００９０】
第１サブ画素４１０は、ゲートオン電圧にイネーブルされて第１データ電圧を提供する第１スイッチング素子（Ｑ１）と、第１データ電圧が充電される第１容量（Ｃ１）とを含む。第２サブ画素４２０は、ゲートオン電圧にイネーブルされて第２データ電圧を提供する第２スイッチング素子（Ｑ２）と、第２データ電圧が充電される第２キャパシタ（Ｃ２）とを含む。
【００９１】
ここで、第１画素電極４１１と第２画素電極４２１との形状は、図１２に示すものに限定されず多様に形成されてもよい。
【００９２】
再び図１１を参照すると、タイミングコントローラ２０３は、原映像信号（ＤＡＴｎ）の入力を受けて第１サブ映像信号（ＨＤＡＴｎ’）と第２サブ映像信号（ＬＤＡＴｎ’）とを出力する。このとき、第１サブ映像信号（ＨＤＡＴｎ’）と第２サブ映像信号（ＬＤＡＴｎ’）とは、原映像信号（ＤＡＴｎ）に対応する補正映像信号（ＤＡＴｎ’）を補正して出力された信号であってもよい。このようなタイミングコントローラ２０３についてさらに詳細に調べる。
【００９３】
図１３を参照すると、タイミングコントローラ２０３は、信号変換部２１１、信号補償部２４３、メモリ２２０、ＤＣＣ補正部２３３、およびＡＣＣ補正部２５３を含んでもよい。本発明のさらに他の実施形態による液晶表示装置１２の信号変換部２１１、信号補償部２４３、メモリ２２０、およびＤＣＣ補正部２３３は、本発明の他の実施形態による液晶表示装置と実質的に同一である。以下では、説明の便宜のために、ＡＣＣ補正部２５３を中心に説明して、実質的に同一の構成要素については省略または簡略に説明する。
【００９４】
ＡＣＣ補正部２５３は、ＤＣＣ補正部２３３から現在フレームの補正映像信号（ＤＡＴｎ’）の提供を受けて、補正映像信号（ＤＡＴｎ’）を補正映像信号（ＤＡＴｎ’）の階調より高い階調に対応する第１サブ映像信号（ＨＤＡＴｎ’）と、補正映像信号（ＤＡＴｎ’）の階調より低い階調に対応する第２サブ映像信号（ＬＤＡＴｎ’）とに変換する。このとき、ＡＣＣ補正部２５３は、色特性を向上させるためのＡＣＣ（Ａｄａｐｔｅｄ  Ｃｏｌｏｒ  Ｃｏｒｒｅｃｔｉｏｎ）補正を行う。
【００９５】
本発明のさらに他の実施形態による液晶表示装置およびその駆動方法によれば、液晶の応答速度を考慮して映像信号に対応する階調を補正することによって、液晶パネルの表示品質をさらに向上させることができる。また、補正映像信号を第１サブ映像信号と第２サブ映像信号とに区分して提供することによって、色特性を向上させることもできる。
【００９６】
以上図面を参照して本発明の実施形態について説明したが、本発明が属する技術分野で通常の知識を有する者は、本発明が、その技術的思想や必須の特徴を変更しない範囲で他の具体的な形態で実施され得ることを理解することができる。したがって、以上で記述した実施形態はすべての面で例示的なものであり、限定的でないものと理解しなければならない。
【符号の説明】
【００９７】
１０、１２    液晶表示装置
１１０、１３０    第１表示板
１２０、１４０    第２表示板
１５０    液晶層
２００、２０１、２０２、２０３    タイミングコントローラ
２１０、２１１    信号変換部
２２０    メモリ
２３０、２３１、２３２    信号補正部
２３３    ＤＣＣ補正部
２３５    第１信号補正部
２３６    第２信号補正部
２４１、２４２    信号補償部
２４５    第１信号補償部
２４６    第２信号補償部
２５３    ＡＣＣ補正部
３００    ゲートドライバ
４００    データドライバ
４１０    第１サブ画素
４１１    第１画素電極
４２０    第２サブ画素
４２１    第２画素電極
５００    階調電圧生成部
【図１】
2010152320.tif 000007
【図２】
2010152320.tif 000008
【図３】
2010152320.tif 000009
【図４】
2010152320.tif 000010
【図５】
2010152320.tif 000011
【図６】
2010152320.tif 000012
【図８】
2010152320.tif 000013
【図９】
2010152320.tif 000014
【図１０】
2010152320.tif 000015
【図１１】
2010152320.tif 000016
【図１２】
2010152320.tif 000017
【図１３】
2010152320.tif 000018
【図７】
2010152320.tif 000019